(57)【要約】【課題】容易に移設を行うことができる仮設給水構造を提供する。【解決手段】仮設給水構造１１は、地面Ｇから立ち上がる支持部材２１と、支持部材２１に対して着脱可能に連結可能な連結部材２３と、連結部材２３に保持される給水栓２４と、給水栓２４に一端で接続されるとともに、地中に埋設される量水器１２に他端で接続される可撓性の給水管１６と、を備える。こうした仮設給水構造１１によれば、支持部材２１は地面Ｇから立ち上がっていれば足り、また、連結部材２３によって給水栓２４を着脱可能に簡単に支持部材２１に取り付けることができ、またさらに、給水管１６は可撓性を有していることから、支持部材２１の位置や給水管１６の位置を変更することによって、建築工事の状況に応じて、仮設給水構造１１を容易に移設することができる。【選択図】図１
2013249633.tif 000002
【特許請求の範囲】
【請求項１】
地面から立ち上がる支持部材と、
前記支持部材に対して着脱可能に連結可能な連結部材と、
前記連結部材に保持される給水栓と、
前記給水栓に一端で接続されるとともに、地中に埋設される量水器に他端で接続される可撓性の給水管と、を備えることを特徴とする仮設給水構造。
【請求項２】
請求項１に記載の仮設給水構造において、
前記連結部材は、前記給水栓の接続部を受け入れ可能な挿通孔を有する保持部を備え、
前記挿通孔に受け入れられた前記給水栓の接続部に前記給水管の一端を接続して前記給水栓の接続部と前記給水管との間で前記保持部を挟み込むことによって、前記給水栓が前記連結部材に保持されることを特徴とする仮設給水構造。
【請求項３】
請求項１又は２に記載の仮設給水構造において、前記支持部材が単管であり、及び、前記連結部材が単管クランプであることを特徴とする仮設給水構造。
【請求項４】
請求項３に記載の仮設給水構造において、前記単管は、前記地面に立てて固定される単管、建物周囲に仮設された足場を構成する単管、及び、建物を建てる敷地周囲に仮設された仮囲いを構成する単管のいずれかであることを特徴とする仮設給水構造。
【請求項５】
請求項１〜４のいずれか１項に記載の仮設給水構造において、前記連結部材は、弾性部材によって前記支持部材を弾性的に挟み込むクリップであることを特徴とする仮設給水構造。
【発明の詳細な説明】
【技術分野】
【０００１】
本発明は、建物の建築工事中に屋外に設けられる仮設給水構造に関する。
【背景技術】
【０００２】
例えば住宅等の建物の建築工事中、工事中に使用する水を供給するため、敷地内に立水栓を仮設することが一般的である。この立水栓は例えばコンクリートや硬質の合成樹脂から形成されており、立水栓には、地中に埋設された量水器から延びる給水管が接続される。給水管は、ステンレス鋼管や硬質塩化ビニル管などの硬質の材料から形成されており、複数の給水管が、例えばエルボなどの継ぎ手を用いて相互に繋がれて屈曲しつつ地中に配管されている。
【先行技術文献】
【特許文献】
【０００３】
【特許文献１】特開平１０−２０４９３６号公報
【発明の概要】
【発明が解決しようとする課題】
【０００４】
建築工事中、特に狭小住宅などでは、立水栓が外構工事や給排水工事などの邪魔になり、立水栓の移設が必要になることがあるが、上記従来の構成を有する立水栓の移設作業の実施にあたって、継ぎ手の交換や給水管同士の繋ぎ替え等を必要とするので、非常に手間がかかる。また、この移設作業は、専門の給排水工事業者でなければ行えず、都合の良いタイミングで立水栓を移設することができないといった問題があった。
【０００５】
本発明は、上記課題に鑑みてなされたものであって、容易に移設を行うことができる仮設給水構造を提供することを目的とする。
【課題を解決するための手段】
【０００６】
上記目的を達成するため、本発明によれば、
地面から立ち上がる支持部材と、
前記支持部材に対して着脱可能に連結可能な連結部材と、
前記連結部材に保持される給水栓と、
前記給水栓に一端で接続されるとともに、地中に埋設される量水器に他端で接続される可撓性の給水管と、を備える仮設給水構造が提供される。
【０００７】
こうした仮設給水構造によれば、支持部材は地面から立ち上がっていれば足り、また、連結部材によって給水栓を着脱可能に簡単に支持部材に取り付けることができ、またさらに、給水管は可撓性を有していることから、支持部材の位置や給水管の位置を変更することによって、建築工事の状況に応じて、仮設給水構造を容易に移設することができる。また、こうした構成によれば、給水管を延長し得る範囲内においては給水管の繋ぎ替えを必要とせず、仮設給水構造の移設にあたって専門の工事業者を必要としない。
【０００８】
また、本発明に係る仮設給水構造では、
前記連結部材は、前記給水栓の接続部を受け入れ可能な挿通孔を有する保持部を備え、
前記挿通孔に受け入れられた前記給水栓の接続部に前記給水管の一端を接続して前記給水栓の接続部と前記給水管との間で前記保持部を挟み込むことによって、前記給水栓が前記連結部材に保持される。
【０００９】
こうした仮設給水構造によれば、給水栓の接続部と給水管の一端との接続のみによって給水栓を連結部材に保持しているので、給水栓や給水管を簡単に交換することができる。その結果、仮設給水構造の目的や給水方法、建物の敷地の条件などに応じて給水栓の種類、給水管の種類や長さなどを容易に変更することができるので、汎用性に優れた仮設給水構造を提供することができる。また、こうした構成によれば、給水栓の交換や連結部材の高さの変更などによって給水栓の高さや向きを必要に応じて容易に変更することができる。
【００１０】
また、本発明に係る仮設給水構造では、前記支持部材が単管であり、及び、前記連結部材が単管クランプであることが好ましい。
【００１１】
また、本発明に係る仮設給水構造では、前記単管は、前記地面に立てて固定される単管、建物周囲に仮設された足場を構成する単管、及び、建物を建てる敷地周囲に仮設された仮囲いを構成する単管のいずれかであることが好ましい。
【００１２】
また、本発明に係る仮設給水構造では、前記連結部材は、弾性部材によって前記支持部材を弾性的に挟み込むクリップであることが好ましい。
【発明の効果】
【００１３】
以上のように本発明によれば、容易に移設を行うことができる仮設給水構造を提供することができる。
【図面の簡単な説明】
【００１４】
【図１】本発明の一実施形態に係る仮設給水構造の構造を概略的に示す側面図である。
【図２】給水栓及び連結部材の構造を概略的に示す部分拡大側面図である。
【図３】給水栓及び連結部材の構造を概略的に示す部分拡大平面図である。
【図４】給水栓及び連結部材の構造を概略的に示す部分拡大分解側面図である。
【図５】連結部材の構造を概略的に示す側面図である
【図６】給水栓及び連結部材の構造を概略的に示す部分拡大分解平面図である。
【発明を実施するための形態】
【００１５】
以下、添付図面を参照しながら本発明の一実施形態について説明する。図１は、本発明の一実施形態に係る仮設給水構造１１の構造を概略的に示す側面図である。例えば建物の敷地内の地面Ｇには量水器１２が埋設されている。量水器１２は、地面Ｇと同一の仮想平面に沿って地面Ｇに埋設されるボックス１３内に収容されており、ボックス１３は、地面Ｇに埋設される箱形の本体１４と、本体１４の内部空間を開閉する開閉蓋１５と、を備えている。ボックス１３は例えば硬質の合成樹脂材料から形成される。
【００１６】
量水器１２の一端に形成される接続部１２ａには、例えば敷地外の道路の地中に埋設される水道本管（図示せず）が接続される。その一方で、量水器１２の他端に形成される接続部１２ｂには給水管１６の一端が接続される。周知の通り、量水器１２は、いわゆる水道メータであり、当該量水器１２内の管路を流れる水道水の体積を計量することができる。量水器１２の一端の接続部１２ａ側には例えば止水バルブ１７が設けられている。
【００１７】
仮設給水構造１１は、地面Ｇに打ち込まれて地面Ｇから所定の高さで立ち上がる支持部材２１を備える。支持部材２１には、いわゆる単管と呼ばれる直径４８．６ｍｍの円形断面の中空の鋼管が用いられる。地中への支持部材２１の打ち込みを容易にするために、支持部材２１の下端には、先端に向かうにつれて先細る尖端キャップ２２が装着される。地面Ｇからの支持部材２１の高さは、後述の給水栓の使用に適切な高さであるとともに、支持部材２１が地面Ｇから安定して立ち上がることが可能な埋め込み深さを確保する高さに設定される。
【００１８】
支持部材２１の所定の高さには連結部材２３が連結されており、この連結部材２３には給水栓２４が保持され、給水栓２４の後述の接続部には給水管１６の他端が接続されている。本実施形態では、給水管１６の他端には継ぎ手２５が装着されており、給水管１６は継ぎ手２５を介して給水栓２４の接続部に接続されている。継ぎ手２５には例えば９０°のエルボが用いられているものの、給水管１６の延びる方向や角度によって他の様々な継ぎ手が用いられてもよい。
【００１９】
図１から明らかなように、本実施形態では、給水管１６は、量水器１２の接続部１２ｂに接続される一端から、給水栓２４の接続部に接続される他端に向かって、所定の長さで地面Ｇの地中に埋設されている。こうした給水管１６には、例えば架橋ポリエチレン管などの可撓性を有する給水管が用いられており、架橋ポリエチレン管は、同様に可撓性を有する保護管によって被覆されていてもよい。地上では、給水管１６は例えば支持部材２１に沿って継ぎ手２５まで立ち上がっている。
【００２０】
図２は、給水栓２４及び連結部材２３の構造を概略的に示す部分拡大側面図であり、図３はその部分拡大平面図であり、図４は、その部分拡大分解側面図である。図２〜図４に示すように、給水栓２４は、給水栓本体３１と、給水栓本体３１の上端に装着されて給水栓２４内の水道水の流量を調整するハンドル３２と、給水栓本体３１の前端に装着されて水道水の吐出口を区画するパイプ３３と、を備えている。本実施形態では、パイプ３３には４５°屈曲した回転自在のパイプが用いられているものの、用途に応じて他の様々なパイプが用いられてもよい。
【００２１】
図４から明らかなように、給水栓本体３１の後端には円筒状の接続部３４が一体的に形成されている。接続部３４の外周には雄ねじが切られている。給水栓本体３１と接続部３４との間の境界部分には、接続部３４から半径方向外側に例えば環状に広がる鍔部３５が形成される。図２及び図３から明らかなように、継ぎ手２５にはナット２５ａが一体化されており、ナット２５ａ内に形成された雌ねじが接続部３４の雄ねじに螺合することによって給水栓２４と継ぎ手２５とが相互に結合される。
【００２２】
図３に示すように、連結部材２３は、支持部材２１をクランプするクランプ部４１と、クランプ部４１に一体化されて給水栓２４を保持する保持部４２と、を備えている。クランプ部４１はいわゆる単管クランプを構成する。クランプ部４１は、クランプ本体４３と、支持部材２１の中心軸線に対して平行に延びる揺動軸４４回りに揺動可能にクランプ本体４３の一端に連結される揺動片４５と、揺動軸４４に平行な揺動軸４６回りに揺動可能にクランプ本体４３の他端に連結されるボルト４７と、を備えている。
【００２３】
支持部材２１への連結部材２３の取り付けにあたって、クランプ本体４３及び揺動片４５の間に支持部材２１が挟み込まれ、その後、ボルト４７にナット４８がねじ込まれていくことによって揺動片４５がクランプ本体４３に向かって締めつけられていく。クランプ本体４３及び揺動片４５の内面は支持部材２１の外周面に沿った内周面を有しており、その結果、クランプ本体４３及び揺動片４５の間に支持部材２１が所定のクランプ力でクランプされる。ナット４８のねじ込み量に応じてクランプ力を調節することが可能である。
【００２４】
図５は、連結部材２３の構造を概略的に示す側面図である。図５を併せて参照すると、保持部４２は、揺動軸４４、４６に平行な仮想平面に沿って広がる板片から形成されている。保持部４２には、給水栓２４の接続部３４を受け入れ可能な挿通孔４２ａが形成されている。挿通孔４２ａは、前述の揺動軸４４、４６に垂直な仮想直線に沿って保持部４２の表面から裏面に貫通する正円形の貫通孔から形成されている。挿通孔４２ａは、接続部３４の外径よりもわずかに大きな内径を有しているとともに、継ぎ手２５のナット２５ａの外径よりも小さな内径を有している。
【００２５】
保持部４２への給水栓２４の取り付けにあたって、図４の状態から接続部３４が挿通孔４２ａ内に差し込まれて給水栓本体３１の鍔部３５が保持部４２の表面に突き当てられる。この状態を保持したまま、接続部３４に継ぎ手２５のナット２５ａがねじ込まれていくと、ナット２５ａは保持部４２の裏面に突き当てられる。その結果、鍔部３５とナット２５ａとの間で保持部４２が挟み込まれることによって、給水栓２４及び継ぎ手２５が連結部材２３に保持される。
【００２６】
以上のような仮設給水構造１１によれば、支持部材２１は地面Ｇに突き立てられれば足り、また、連結部材２３によって給水栓２４を着脱可能に簡単に支持部材２１に取り付けることができ、またさらに、給水管１６は可撓性を有していることから、仮設給水構造１１の移設にあたって、地中から給水管１６を掘り出すとともに地面Ｇから支持部材２１を抜いた後、支持部材２１を地面Ｇの所望の位置に再び打ち込んで突き立てるとともに給水管２１を埋設しなおすことによって、建築工事の状況に応じて、仮設給水構造１１を容易に移設することができる。
【００２７】
特に、従来は必要であった継ぎ手の交換や給水管同士の繋ぎ替え等の作業が不要であり、仮設給水構造１１の移設にあたって専門の工事業者を必要としない。また、可撓性を有する給水管１６を環状に何周か巻いた状態で地中に埋設して、現在の支持部材２１の位置に必要な長さよりも大きな長さに設定することによって、給水管１６の長さに余裕を持たせておくこともできる。その結果、地中に埋設された給水管１６を掘り出して給水管１６を巻き解いて給水管１６を延長することによって、量水器１２からさらに離れた位置に仮設給水構造１１を移設することができる。従って、給水管１６を延長することができる範囲内においては給水管１６の繋ぎ替えを必要としないので、仮設給水構造１１の移設作業を一層容易にすることができる。
【００２８】
しかも、継ぎ手２５との接続のみによって給水栓２４を連結部材２３に保持しているので、給水栓２４や継ぎ手２５、給水管１６を簡単に交換することができる。その結果、仮設給水構造１１の目的や給水方法、建物の敷地の条件などに応じて給水栓２４や継ぎ手２５の種類、給水管１６の種類や長さなどを容易に変更することができるので、汎用性に優れた仮設給水構造１１を提供することができる。また、こうした構成によれば、給水栓２４の交換や連結部材２３の高さの変更などによって給水栓２４の高さや向きを必要に応じて容易に変更することができる。
【００２９】
図６に示すように、連結部材２３のクランプ部４１は、前述のボルト４７及びナット４８によるクランプに代えて、弾性部材すなわちねじりコイルばね４６によって支持部材２１を弾性的に挟み込むクリップであってもよい。その他、前述と均等な構成や構造には同一の参照符号を付している。こうした構成によれば、ボルト４７及びナット４８による挟み込みよりも一層容易に支持部材２１に連結部材２３を着脱することができるので、仮設給水構造１１の移設を一層容易に行うことができる。
【００３０】
以上のような仮設給水構造１１では、支持部材２１は、地面Ｇに打ち込まれる上述の単管に代えて、例えば建物の周囲に仮設された足場を構成する単管や、建物を建てる敷地の周囲に仮設された仮囲いを構成する単管であってもよい。これらの単管も前述の単管と同様の構造を有している。こうした単管を利用することによって、支持部材２１として新たに単管を地面Ｇに打ち込む必要がないので、仮設給水構造１１の構成を簡略化することができる。
【符号の説明】
【００３１】
１１    仮設給水構造
１２    量水器
１６    給水管
２１    支持部材
２３    連結部材
２４    給水栓
４２    保持部
４２ａ  挿通孔
５１    弾性部材
Ｇ    地面
【図１】
2013249633.tif 000003
【図２】
2013249633.tif 000004
【図３】
2013249633.tif 000005
【図４】
2013249633.tif 000006
【図５】
2013249633.tif 000007
【図６】
2013249633.tif 000008